【事件の表示】
　特願２０００−１３３７８４「広告情報配信システム」拒絶査定不服審判事件〔平成１３年１１月１６日出願公開、特開２００１−３１９１３１〕について、次のとおり審決する。
【結　論】
　本件審判の請求は、成り立たない。
【理　由】
１．手続の経緯
　本願は、平成１２年５月２日の出願であって、平成１６年９月３日付けで拒絶査定がなされ、これに対し、同年１０月１４日に拒絶査定に対する審判請求がなされたものである。その後、当審において、平成２０年９月２５日付で最後の拒絶の理由が通知され、これに対し、平成２０年１２月１日付けで、手続補正がなされたものである。
　
　
２．平成２０年１２月１日付の手続補正についての補正却下の決定
［補正却下の決定の結論］
　平成２０年１２月１日付の手続補正を却下する。
　
［理由］
（１）補正の内容
　平成２０年１２月１日付の手続補正（以下「本件補正１」という。）により、特許請求の範囲は、
　
「【請求項１】　双方向通信ネットワークを介して複数の携帯端末装置に対して広告情報データを配信する広告情報配信装置であって、
　被配信者情報記憶部と広告情報記憶部とを有する記憶手段と、
　現在時刻を表す時刻データを生成する計時装置と、
　該被配信者情報記憶部と該広告情報記憶部とを参照して、広告情報データを該複数の端末装置に選択的に送出する処理制御装置とを備え、
　該処理制御装置は、
　該広告情報記憶部に格納された各広告情報データに含まれた広告を配信すべき対象を特定するための配信条件識別子と該被配信者情報記憶部に格納されている被配信者の消費性向を表すプロファイル情報データとを比較し、且つ、
　広告を配信すべき地域を特定するためのエリア識別子と該被配信者情報記憶部に格納されている被配信者が所持する該携帯端末装置の位置情報とを比較し、
　前記比較において選択された広告情報を該被配信者の携帯端末装置に対して、該広告情報記憶部に格納された該広告情報データに係る広告を配信すべき時間を特定するための配信時間識別子が現在時刻に至った時に配信することを特徴とする広告情報配信装置。
　　【請求項２】　該記憶装置は、さらに、課金情報記憶部、広告料情報記憶部及びアンケート情報記憶部を含み、
　該処理制御装置は、該アンケート情報記憶部に記憶されたアンケート情報を該広告情報データと共に前記選択された携帯端末装置に配信し、該アンケート情報が返信されてきた場合は、該返信されたアンケート情報に基づいて該課金情報記憶部及び該広告料情報記憶部における該被配信者に係るデータを更新することを特徴とする請求項１に記載の広告情報配信装置。
　　【請求項３】　該処理制御装置は、該返信されたアンケート情報に基づいて該被配信者情報記憶部に記憶されている該配信者の該消費性向を表すプロファイル情報データを更新することを特徴とする請求項２に記載の広告情報配信装置。
　　【請求項４】　該記憶装置は、さらに、マーケティング情報記憶部を含み、該該処理制御装置は、該返信されたアンケート情報に基づいて該マーケティング情報記憶部を更新することを特徴とする請求項２に記載の広告情報配信装置。」
から
「【請求項１】
　双方向通信ネットワークを介して複数の携帯端末装置に対して広告情報データを配信する広告情報配信装置であって、
　被配信者情報記憶部と広告情報記憶部とを有する記憶手段と、
　現在時刻を表す時刻データを生成する計時装置と、
　該被配信者情報記憶部と該広告情報記憶部とを参照して、広告情報データを該複数の端末装置に選択的に送出する処理制御装置と、を備え、
　該広告情報記憶部には、各広告情報データに含まれた広告を配信すべき対象を特定するための配信条件識別子が格納され、
　該被配信者情報記憶部には、被配信者の消費性向を表すプロファイル情報データが格納され、
　該処理制御装置は、
　該携帯端末装置から所望の条件により選択された該広告情報の配信希望を受信し、該携帯端末装置に対して該選択に係る所望のジャンル、エリア、時間帯を問い合わせて、該携帯端末から当該問合せに対する回答を受信し、該回答にしたがって該広告情報データを検索することにより該回答に適合したレコードを選択し、該レコードに含まれる該広告情報データを選択して配信する、ことを特徴とする広告情報配信装置。
　　【請求項２】
　該記憶装置は、さらに、課金情報記憶部、広告料情報記憶部及びアンケート情報記憶部を含み、
　該処理制御装置は、該アンケート情報記憶部に記憶されたアンケート情報を該広告情報データと共に前記選択された携帯端末装置に配信し、該アンケート情報が返信されてきた場合は、該返信されたアンケート情報に基づいて該課金情報記憶部及び該広告料情報記憶部における該被配信者に係るデータを更新することを特徴とする請求項１に記載の広告情報配信装置。
　　【請求項３】
　該処理制御装置は、該返信されたアンケート情報に基づいて該被配信者情報記憶部に記憶されている該配信者の該消費性向を表すプロファイル情報データを更新することを特徴とする請求項２に記載の広告情報配信装置。
　　【請求項４】
　該記憶装置は、さらに、マーケティング情報記憶部を含み、該処理制御装置は、該返信されたアンケート情報に基づいて該マーケティング情報記憶部を更新することを特徴とする請求項２に記載の広告情報配信装置。」
と補正された。
　
（２）補正についての審判請求人の主張
　審判請求人は意見書において、『３．補正の根拠
　本意見書と同日付けの手続補正書により補正された請求項１と段落番号０００９における「該処理制御装置は、該携帯端末装置から所望の条件により選択された該広告情報の配信希望を受信し、該携帯端末装置に対して該選択に係る所望のジャンル、エリア、時間帯を問い合わせて、該携帯端末から当該問合せに対する回答を受信し、該回答にしたがって該広告情報データを検索することにより該回答に適合したレコードを選択し、該レコードに含まれる該広告情報データを選択して配信する」との補正事項は、本願の出願当初の明細書段落番号００３４乃至００３６の「ある被配信者がある条件を有する広告情報データの配信を希望するものとする。該被配信者は、サーバ５に対して、該所望の広告情報を選択するための情報を要求する（Ｓ１）。該選択するための情報とは、被配信者に所望のジャンル、エリア、時間帯等を問い合わせるものであり、被配信者は携帯端末１の図示しない入力装置によって、該問い合わせに対する回答を入力する。該回答は、基地局２中継局３、ネットワーク４を介してサーバ５に返送される。該返送を受けたサーバ５は、該回答にしたがって、広告情報ＤＢ１２を検索し、該回答に適合したレコードを選択し、そのレコードに含まれる広告情報データを選択する（Ｓ２）。次に、該サーバ５は、該選択した広告情報データを、要求を出した被配信者に当てて送出する。」との記載に基づきます。』と主張し、補正の根拠のみ主張するものであって、本件補正１の目的については何ら主張していない。
　
（３）本件補正１に対する判断
　平成２０年９月２５日付け拒絶理由通知は、最後の拒絶理由通知であるので、本件補正１が特許法第１７条の２第４項の規定に違反しているかどうか（平成１４年法律第２４号改正附則第２条第１項によりなお従前の例によるとされる同法による改正前の特許法第１７条の２第４項の規定に違反するかどうか）以下に検討する。
　
　本件補正１は前記のとおりのものであって、その補正の前後の内容を対比してみると、補正後の請求項１は、補正前の請求項１を補正したものであると認められる。
　そうすると、補正前後の請求項１の記載からみて、請求項１に係る本件補正１は、補正前の請求項１に記載された「該広告情報記憶部に格納された各広告情報データに含まれた広告を配信すべき対象を特定するための配信条件識別子と該被配信者情報記憶部に格納されている被配信者の消費性向を表すプロファイル情報データとを比較し、且つ、
　広告を配信すべき地域を特定するためのエリア識別子と該被配信者情報記憶部に格納されている被配信者が所持する該携帯端末装置の位置情報とを比較し、
　前記比較において選択された広告情報を該被配信者の携帯端末装置に対して、該広告情報記憶部に格納された該広告情報データに係る広告を配信すべき時間を特定するための配信時間識別子が現在時刻に至った時に配信する」を「該携帯端末装置から所望の条件により選択された該広告情報の配信希望を受信し、該携帯端末装置に対して該選択に係る所望のジャンル、エリア、時間帯を問い合わせて、該携帯端末から当該問合せに対する回答を受信し、該回答にしたがって該広告情報データを検索することにより該回答に適合したレコードを選択し、該レコードに含まれる該広告情報データを選択して配信する」と補正する補正事項を含むものである。
　
　そして、上記補正事項は、補正前の「該広告情報記憶部に格納された各広告情報データに含まれた広告を配信すべき対象を特定するための配信条件識別子と該被配信者情報記憶部に格納されている被配信者の消費性向を表すプロファイル情報データとを比較し、且つ、
　広告を配信すべき地域を特定するためのエリア識別子と該被配信者情報記憶部に格納されている被配信者が所持する該携帯端末装置の位置情報とを比較し、
　前記比較において選択された広告情報を該被配信者の携帯端末装置に対して、該広告情報記憶部に格納された該広告情報データに係る広告を配信すべき時間を特定するための配信時間識別子が現在時刻に至った時に配信する」という処理制御装置による「自動配信」（サーバが自動的に広告情報を配信する自動配信）を特定する構成から、補正後の「該携帯端末装置から所望の条件により選択された該広告情報の配信希望を受信し、該携帯端末装置に対して該選択に係る所望のジャンル、エリア、時間帯を問い合わせて、該携帯端末から当該問合せに対する回答を受信し、該回答にしたがって該広告情報データを検索することにより該回答に適合したレコードを選択し、該レコードに含まれる該広告情報データを選択して配信する」という処理制御装置による「希望配信」（被配信者からの希望に応じて、被配信者の希望に合致する広告データを配信する希望配信）を特定する構成に変更するものであるから、補正前の請求項１に記載された発明特定事項を限定的に減縮するものとは認められない。
　したがって、上記補正事項は、特許法第１７条の２第４項第２号に掲げられた特許請求の範囲の限縮を目的としていない。
　また、上記補正事項は、特許法第１７条の２第４項第１号に掲げられた請求項の削除、同第３号に掲げられた誤記の訂正、同第４号に掲げられた明りょうでない記載の釈明のいずれをも目的としていないことは明らかである。
　よって、上記補正事項を含む本件補正１は、特許法第１７条の２第４項の規定に違反する。
　
（４）むすび
　以上のとおり、本件補正１は、平成１４年法律第２４号改正附則第２条第１項によりなお従前の例によるとされる同法による改正前の特許法第１７条の２第４項の規定に違反するので、同法第１５９条第１項において読み替えて準用する同法第５３条第１項の規定により却下すべきものである。　
　
　
３．当審の拒絶理由通知で通知された拒絶理由の概要について
　当審の拒絶理由通知で通知された拒絶理由の概要は、平成２０年９月２５日付の拒絶理由通知の記載からみて、以下のとおりである。
「平成１６年６月１１日付けでした手続補正は、下記の点で願書に最初に添付した明細書又は図面に記載した事項の範囲内においてしたものでないから、特許法第１７条の２第３項に規定する要件を満たしていない。
　
（以下略）」
　
　
４．当審の判断
４−１．平成１６年６月１１日付の手続補正について
　平成１６年６月１１日付の手続補正（以下「本件補正２」という。）により、請求項１及び発明の詳細な説明の段落【０００９】は以下のとおり補正された。
　
（１）「【請求項１】　双方向通信ネットワークを介して複数の携帯端末装置に対して広告情報データを配信する広告情報配信装置であって、
　被配信者情報記憶部と広告情報記憶部とを有する記憶手段と、
　現在時刻を表す時刻データを生成する計時装置と、
　該被配信者情報記憶部と該広告情報記憶部とを参照して、広告情報データを該複数の端末装置に選択的に送出する処理制御装置とを備え、
　該処理制御装置は、
　該広告情報記憶部に格納された各広告情報データに含まれた広告を配信すべき対象を特定するための配信条件識別子と該被配信者情報記憶部に格納されている被配信者の消費性向を表すプロファイル情報データとを比較し、且つ、
　広告を配信すべき地域を特定するためのエリア識別子と該被配信者情報記憶部に格納されている被配信者が所持する該携帯端末装置の位置情報とを比較し、
　前記比較において選択された広告情報を該被配信者の携帯端末装置に対して、該広告情報記憶部に格納された該広告情報データに係る広告を配信すべき時間を特定するための配信時間識別子が現在時刻に至った時に配信することを特徴とする広告情報配信装置。」
　
（２）「【０００９】
　　【課題を解決するための手段】
　このため、本発明は、双方向通信ネットワークを介して複数の携帯端末装置に対して広告情報データを配信する広告情報配信装置であって、被配信者情報記憶部と広告情報記憶部とを有する記憶手段と、現在時刻を表す時刻データを生成する計時装置と、該被配信者情報記憶部と該広告情報記憶部とを参照して、広告情報データを該複数の端末装置に選択的に送出する処理制御装置とを備え、該処理制御装置は、該広告情報記憶部に格納された各広告情報データに含まれた広告を配信すべき対象を特定するための配信条件識別子と該被配信者情報記憶部に格納されている被配信者の消費性向を表すプロファイル情報データとを比較し、且つ広告を配信すべき地域を特定するためのエリア識別子と該被配信者情報記憶部に格納されている被配信者が所持する該携帯端末装置の位置情報とを比較し、前記比較において選択された広告情報を該被配信者の携帯端末装置に対して、該広告情報記憶部に格納された該広告情報データに係る広告を配信すべき時間を特定するための配信時間識別子が現在時刻に至った時に配信することを特徴とする広告情報配信装置を提供するものである。」
　
４−２．当初明細書等の記載
　処理制御装置が行う処理に関する願書に最初に添付した明細書又は図面（以下「当初明細書等」という。）の記載は、以下のとおりである。
　
（ア）「【請求項１１】複数の端末装置と、少なくとも一つの広告情報配信サーバと、該端末装置と広告情報配信サーバとを双方向通信可能に接続するネットワークとを具備し、該広告情報配信サーバは、個人情報データベースと、広告情報データベースと、課金データベースと、広告料データベースと、アンケート情報データベースとを有する記憶手段と、を有する広告情報配信システムにおいて、広告情報の配信を制御する広告情報配信制御方法であって、
該方法は：該サーバが広告情報データを選択する第１工程と、
該第１工程において選択された広告情報データに応じて、該サーバが該広告情報データを配信すべき端末装置を選択する第２工程と、
該サーバが、該選択された広告情報データを、該第２工程において選択された端末装置に該アンケート情報データベースに格納されたアンケート情報とともに送出する第３工程と、
該選択された端末装置から回答情報が付加されたアンケート情報を該サーバが受け取った場合、該サーバが課金データベースと広告料データベースとの少なくとも一方を更新する第４工程と、を具備することを特徴とする広告情報配信制御方法。
【請求項１２】該広告情報データベースは、広告を配信すべき時間を特定するための配信時間識別子を含み、
前記第１工程において、該サーバは、現在時刻と、広告情報データベースに含まれる広告を配信すべき時間を特定するための配信時間識別子とを比較することによって、広告情報データを選択する、ことを特徴とする、請求項１１に記載の広告情報配信制御方法。
【請求項１３】該広告情報データベースは、さらに広告を配信すべき地域を特定するためのエリア識別子を含み、
該個人情報データベースは、対応する端末装置が位置する地域を表すエリアデータを含み、
前記第２工程において、該エリア識別子とエリアデータとに基づいて、広告を配信すべき端末装置を選択する、ことを特徴とする、請求項１２に記載の広告情報配信制御方法。
【請求項１４】前記端末装置は携帯電話であり、
該エリア識別子は、該携帯電話が現在通信している基地局にしたがって決定されることを特徴とする、請求項１３に記載の広告情報配信制御方法。
【請求項１５】該広告情報データベースはさらに、広告を配信すべき対象を特定するための配信条件識別子を含み、
該被配信者情報データベースは、被配信者の消費性向を表すプロファイル情報データを含み、
前記第２工程において、さらに該配信条件識別子と該プロファイル情報データとに基づいて、広告を配信すべき端末装置を選択する、ことを特徴とする請求項１４に記載の広告情報配信制御方法。」
　
（イ）「【請求項１７】複数の端末装置と、少なくとも一つの広告情報配信サーバと、該端末装置と広告情報配信サーバとを双方向通信可能に接続するネットワークとを具備し、該広告情報配信サーバは、個人情報データベースと、広告情報データベースと、課金データベースと、広告料データベースと、アンケート情報データベースとを有する記憶手段と、を有する広告情報配信システムにおいて、広告情報の配信を制御する広告情報配信制御方法であって、
該方法は：該サーバが広告情報データを選択する第１工程と、
該第１工程において選択された広告情報データに応じて、該サーバが該広告情報データを配信すべき端末装置を選択する第２工程と、
該サーバが、該選択された広告情報データを、該第２工程において選択された端末装置に該アンケート情報データベースに格納されたアンケート情報とともに送出する第３工程と、
該選択された端末装置から回答情報が付加されたアンケート情報を該サーバが受け取った場合、該サーバが課金データベースと広告料データベースとの少なくとも一方を更新する第４工程と、を具備することを特徴とする広告情報配信制御方法を実行するためのプログラムを格納した、コンピュータ読み取り可能な記憶媒体。
【請求項１８】前記広告情報配信制御方法において、
該広告情報データベースは、広告を配信すべき時間を特定するための配信時間識別子を含み、
前記第１工程において、該サーバは、現在時刻と、広告情報データベースに含まれる広告を配信すべき時間を特定するための配信時間識別子とを比較することによって、広告情報データを選択する、ことを特徴とする、請求項１７に記載のコンピュータ読み取り可能な記憶媒体。
【請求項１９】前記広告情報配信制御方法において、
該広告情報データベースは、さらに広告を配信すべき地域を特定するためのエリア識別子を含み、
該個人情報データベースは、対応する端末装置が位置する地域を表すエリアデータを含み、
前記第２工程において、該エリア識別子とエリアデータとに基づいて、広告を配信すべき端末装置を選択する、ことを特徴とする、請求項１８に記載のコンピュータ読み取り可能な記憶媒体。
【請求項２０】前記広告情報配信制御方法において、
前記端末装置は携帯電話であり、
該エリア識別子は、該携帯電話が現在通信している基地局にしたがって決定されることを特徴とする、請求項１９に記載のコンピュータ読み取り可能な記憶媒体。
【請求項２１】前記広告情報配信制御方法において、
該広告情報データベースはさらに、広告を配信すべき対象を特定するための配信条件識別子を含み、
該被配信者情報データベースは、被配信者の消費性向を表すプロファイル情報データを含み、
前記第２工程において、さらに該配信条件識別子と該プロファイル情報データとに基づいて、広告を配信すべき端末装置を選択する、ことを特徴とする、請求項２０に記載のコンピュータ読み取り可能な記憶媒体。」
　
（ウ）「【００２６】［自動配信］つぎに、本発明にかかる広告情報配信システムにおける広告情報配信方法について説明する。
【００２７】まず、サーバ５が自動的に広告情報を配信する自動配信について、図４に示す自動配信の処理を説明するフローチャートを参照しながら説明する。
【００２８】まずサーバ５は、ある時刻において、配信すべきレコードを広告情報ＤＢ１２より選定し特定する（Ｓ１）。たとえば、サーバ５は図示しない計時装置（たとえばクロック）が生成する時刻データを参照して、該時刻データを含む時間帯ＩＤ３４を有する広告情報のレコードを特定する。たとえば、計時装置の生成する時刻データが午後６時であれば、午後６時を含む時間帯ＩＤ３４を有するレコードが選択される。この場合、複数のレコードが同時に選択されるようにしてもよい。
【００２９】つぎに、該特定されたレコード（複数選択される場合については、それぞれのレコード)に対応する広告情報データを配信すべき被配信者を特定する（Ｓ２）。被配信者の特定は、該特定された広告情報のレコードが有する、エリアＩＤ３２、ジャンルＩＤ３３と、個人情報ＤＢ１１内のエリアデータ２２、プロファイル情報とをＣＰＵ８が読み取りこれらを相互参照することによって行われる。ＣＰＵ８は相互参照することによって、広告情報のレコードに合致する個人情報ＤＢ１１内のレコードを選択する。
【００３０】つぎに、該特定された被配信者に向けて、該特定された広告情報データを、アンケート情報とともに配信する（Ｓ３）。」
　
（エ）第４図　
　
４−３．新規事項の追加について
　補正後の請求項１及び発明の詳細な説明の段落【０００９】には、「広告情報記憶部に格納された各広告情報データに含まれた広告を配信すべき対象を特定するための配信条件識別子と該被配信者情報記憶部に格納されている被配信者の消費性向を表すプロファイル情報データとを比較し、且つ、広告を配信すべき地域を特定するためのエリア識別子と該被配信者情報記憶部に格納されている被配信者が所持する該携帯端末装置の位置情報とを比較し、前記比較において選択された広告情報を該被配信者の携帯端末装置に対して、該広告情報記憶部に格納された該広告情報データに係る広告を配信すべき時間を特定するための配信時間識別子が現在時刻に至った時に配信する」と記載されている。
　すなわち、補正後の請求項１及び発明の詳細な説明の段落【０００９】には、第１の工程において、広告情報記憶部に格納された配信条件識別子と該被配信者情報記憶部に格納されている消費性向を表すプロファイル情報データとを比較し、且つ、広告情報記憶部に格納されたエリア識別子と被配信者情報記憶部に格納されている該携帯端末装置の位置情報とを比較し、第２の工程において、前記比較において選択された広告情報を該被配信者の携帯端末装置に対して、該広告情報記憶部に格納された配信時間識別子が現在時刻に至った時に配信することが記載されているものと認められる。
　
　一方、上記摘記事項（ア）〜（エ）には、第１の工程において、現在時刻と、広告情報データベースに含まれる広告を配信すべき時間を特定するための配信時間識別子とを比較することによって、広告情報データを選択し、第２の工程において、広告情報データベースに含まれるエリア識別子と、個人情報データベースに含まれるエリアデータとに基づいて広告を配信すべき端末装置を選択し、さらに広告情報データベースに含まれる配信条件識別子と、個人情報データベースに含まれるプロファイル情報データとに基づいて広告を配信すべき端末装置を選択することが記載されているものである。
　
　そうすると、上記摘記事項（ア）〜（エ）には、第１の工程において、広告情報記憶部に格納された配信条件識別子と該被配信者情報記憶部に格納されている消費性向を表すプロファイル情報データとを比較し、且つ、広告情報記憶部に格納されたエリア識別子と被配信者情報記憶部に格納されている該携帯端末装置の位置情報とを比較し、第２の工程において、前記比較において選択された広告情報を該被配信者の携帯端末装置に対して、該広告情報記憶部に格納された配信時間識別子が現在時刻に至った時に配信することは記載されておらず、また、その記載からみて自明な事項とも認められない。
　
　なお、請求人は、平成１６年６月１１日付け意見書において「本意見書と同日付で提出された手続補正書によって補正された新請求項１における補正事項は、出願当初の明細書段落番号００１８乃至００２１及び願書に添付された図面の第２図及び第３図に基づきます。」と主張している。
　しかしながら、請求人が補正の根拠とする段落【００１８】−【００２１】、図２、３の記載は、個人情報ＤＢ、広告情報ＤＢのデータ構造を説明するに留まるものであって、どのような処理（工程）を処理制御装置が行うかについては、何ら記載されていないので、本件補正２により補正された請求項１及び発明の詳細な説明の段落【０００９】に記載された処理制御装置が行う処理（工程）の根拠にならない。
　
　以上のとおり、請求項１及び発明の詳細な説明の段落【０００９】の「該広告情報記憶部に格納された各広告情報データに含まれた広告を配信すべき対象を特定するための配信条件識別子と該被配信者情報記憶部に格納されている被配信者の消費性向を表すプロファイル情報データとを比較し、且つ、
　広告を配信すべき地域を特定するためのエリア識別子と該被配信者情報記憶部に格納されている被配信者が所持する該携帯端末装置の位置情報とを比較し、
　前記比較において選択された広告情報を該被配信者の携帯端末装置に対して、該広告情報記憶部に格納された該広告情報データに係る広告を配信すべき時間を特定するための配信時間識別子が現在時刻に至った時に配信する」との事項は、当初明細書等に記載されているとは認められず、また、それらの記載からみて自明とも認められないので、本件補正２は、新規事項を追加するものであり、当初明細書等に記載した事項の範囲内においてしたものでない。
　
　
５．むすび
　以上のとおり、平成１６年６月１１日付でした手続補正は、願書に最初に添付した明細書又は図面に記載した事項の範囲内においてしたものでないから、特許法第１７条の２第３項に規定する要件を満たしていない。
　よって、結論のとおり審決する。